(57)【要約】【課題】ユーザによる、音声着信等によって再生が停止されたテレビジョン放送の内容の想起に寄与する端末装置、該端末装置の制御方法及びプログラムを提供する。【解決手段】処理手段は、放送受信手段によるテレビジョン放送の再生中に音声通話手段に対する音声着信が発生した場合、放送受信手段で受信している映像から取得した少なくとも１つの画像データを記憶手段で保存し、表示手段で表示している再生中のテレビジョン放送の画面を、ユーザへ音声着信を通知するための着信画面に切り換える。【選択図】図１
2013251842.tif 000002
【特許請求の範囲】
【請求項１】
画像を表示する表示手段と、
テレビジョン放送を受信する放送受信手段と、
通信ネットワークを介して接続される他の装置とのユーザによる音声通話を可能にする音声通話手段と、
前記放送受信手段で受信している画像データを保存する記憶手段と、
前記放送受信手段による前記テレビジョン放送の再生中に前記音声通話手段に対する音声着信が発生した場合、前記放送受信手段で受信している映像から取得した少なくとも１つの画像データを前記記憶手段に保存し、前記表示手段で表示している再生中の前記テレビジョン放送の画面を、前記ユーザへ前記音声着信を通知するための着信画面に切り換える処理手段と、
を有する端末装置。
【請求項２】
前記ユーザが指示を含む情報を入力するための入力手段をさらに有し、
前記処理手段は、
前記ユーザによる音声通話終了後、前記入力手段を用いて前記ユーザから前記音声着信の直前に再生していた前記テレビジョン放送の画像データの表示が要求されると、前記記憶手段に保存された該画像データを前記表示手段に表示させる請求項１記載の端末装置。
【請求項３】
前記処理手段は、
前記ユーザによる音声通話時に、前記放送受信手段で受信している映像から取得した少なくとも１つの画像データを前記記憶手段に保存する請求項１または２記載の端末装置。
【請求項４】
前記処理手段は、
前記放送受信手段で受信している映像から所定の周期毎に取得した、複数の画像データを前記記憶手段に保存する請求項１から３のいずれか１項記載の端末装置。
【請求項５】
画像を表示する表示手段と、
テレビジョン放送を受信する放送受信手段と、
通信ネットワークを介して接続される他の装置とのユーザによる音声通話を可能にする音声通話手段と、
前記放送受信手段で受信している画像データを保存する記憶手段と、
を備えた端末装置の制御方法であって、
処理手段が、
前記放送受信手段による前記テレビジョン放送の再生中に前記音声通話手段に対する音声着信が発生した場合、前記放送受信手段で受信している映像から取得した少なくとも１つの画像データを前記記憶手段に保存し、
前記表示手段で表示している再生中の前記テレビジョン放送の画面を、前記ユーザへ前記音声着信を通知するための着信画面に切り換える端末装置の制御方法。
【請求項６】
前記端末装置は、前記ユーザが指示を含む情報を入力するための入力手段をさらに備え、
前記処理手段が、
前記ユーザによる音声通話終了後、前記入力手段を用いて前記ユーザから前記音声着信の直前に再生していた前記テレビジョン放送の画像データの表示が要求されると、前記記憶手段に保存された該画像データを前記表示手段に表示させる請求項５記載の端末装置の制御方法。
【請求項７】
前記処理手段が、
前記ユーザによる音声通話時に、前記放送受信手段で受信している映像から取得した少なくとも１つの画像データを前記記憶手段に保存する請求項５または６記載の端末装置の制御方法。
【請求項８】
前記処理手段が、
前記放送受信手段で受信している映像から所定の周期毎に取得した、複数の画像データを前記記憶手段に保存する請求項５から７のいずれか１項記載の端末装置の制御方法。
【請求項９】
画像を表示する表示手段と、
テレビジョン放送を受信する放送受信手段と、
通信ネットワークを介して接続される他の装置とのユーザによる音声通話を可能にする音声通話手段と、
前記放送受信手段で受信している画像データを保存する記憶手段と、
を備えたコンピュータに実行させるためのプログラムであって、
前記放送受信手段による前記テレビジョン放送の再生中に前記音声通話手段に対する音声着信が発生した場合、前記放送受信手段で受信している映像から取得した少なくとも１つの画像データを前記記憶手段に保存させ、
前記表示手段で表示している再生中の前記テレビジョン放送の画面を、前記ユーザへ前記音声着信を通知するための着信画面に切り換えるためのプログラム。
【請求項１０】
前記コンピュータは、前記ユーザが指示を含む情報を入力するための入力手段をさらに備え、
前記ユーザによる音声通話終了後、前記入力手段を用いて前記ユーザから前記音声着信の直前に再生していた前記テレビジョン放送の画像データの表示が要求されると、前記記憶手段に保存された該画像データを前記表示手段に表示させるための請求項９記載のプログラム。
【発明の詳細な説明】
【技術分野】
【０００１】
本発明は、テレビジョン放送の受信・再生が可能な端末装置、該端末装置の制御方法及びプログラムに関する。
【背景技術】
【０００２】
例えば、携帯電話機は、ユーザが所定のアプリケーションプログラム等を利用してテレビジョン放送（地上デジタル放送）を視聴しているときに音声着信が発生すると、該テレビジョン放送の再生を終了して着信応答用の画面（着信画面）に切り換える。これは、携帯電話機では、音声着信に対してユーザの即応性が求められるため、音声着信があったことをユーザへ直ぐに通知する必要があるためである。
【０００３】
通常、テレビジョン放送のように視聴者の意向や要求と関係なく放送局から提供される動画映像は、該動画映像を録画していない限り、あるいは該動画映像が再放送されない限り、同じ動画映像を再び入手することはできない。そのため、ユーザは音声着信時に視聴していた放送内容等を後で再現することができず、音声通話の終了後に視聴していた動画映像、放送局、番組情報等を思い出すことができなくなる場合がある。
【０００４】
なお、テレビジョン放送を全画面表示しているときに音声着信があった場合、該テレビジョン放送の映像表示を中断することなく、音声着信をオンススクリーンで通知する技術が、例えば特許文献１に記載されている。
【０００５】
また、音声着信時に関連する処理ではないが、内蔵電池の残量が無くなりそうなときに装置や回路の動作状態（画面や通話相手の情報等）を不揮発性のメモリに保存して後で再生可能にすることが、例えば特許文献２〜４に記載されている。
【０００６】
同様に、音声着信時に関連する処理ではないが、装置が省電力モードへ移行するときに、所望のアプリケーションプログラムの処理について継続可能にするための技術が、例えば特許文献５に記載されている。特許文献５では、各アプリケーションプログラムにプログラム停止許可フラグを持たせておき、ユーザの操作によりプログラム停止許可フラグが「継続」を示す値に設定されたアプリケーションプログラムについては、装置が省電力モードへ移行したときでも予め設定された所定の処理が終了するまで該アプリケーションプログラムを継続して実行することが記載されている。
【先行技術文献】
【特許文献】
【０００７】
【特許文献１】特開２００７−２２８５０４号公報
【特許文献２】特開平５−０１９８８３号公報
【特許文献３】特開平９−０８１２８５号公報
【特許文献４】特開２００９−１３５７１９号公報
【特許文献５】特許第４３５６８００号明細書
【発明の概要】
【発明が解決しようとする課題】
【０００８】
上述したように、例えば携帯電話機では、音声着信時にユーザの即応性が求められるため、ユーザへ音声着信があったことを直ぐに通知する必要がある。
【０００９】
一方、ユーザは、音声着信に応答する場合、視聴しているテレビジョン放送の放送内容等を、例えばメモに書き残したりする余裕はない。そのため、音声通話の終了後に先に視聴していた放送内容等を思い出すことに困難さを伴う場合がある。
【００１０】
本発明は上述したような背景技術が有する問題点を解決するためになされたものであり、ユーザによる、音声着信等によって再生が停止されたテレビジョン放送の内容の想起に寄与する端末装置、該端末装置の制御方法及びプログラムを提供することを目的とする。
【課題を解決するための手段】
【００１１】
上記目的を達成するため本発明の端末装置は、画像を表示する表示手段と、
テレビジョン放送を受信する放送受信手段と、
通信ネットワークを介して接続される他の装置とのユーザによる音声通話を可能にする音声通話手段と、
前記放送受信手段で受信している画像データを保存する記憶手段と、
前記放送受信手段による前記テレビジョン放送の再生中に前記音声通話手段に対する音声着信が発生した場合、前記放送受信手段で受信している映像から取得した少なくとも１つの画像データを前記記憶手段に保存し、前記表示手段で表示している再生中の前記テレビジョン放送の画面を、前記ユーザへ前記音声着信を通知するための着信画面に切り換える処理手段と、
を有する。
【００１２】
一方、本発明の端末装置の制御方法は、画像を表示する表示手段と、
テレビジョン放送を受信する放送受信手段と、
通信ネットワークを介して接続される他の装置とのユーザによる音声通話を可能にする音声通話手段と、
前記放送受信手段で受信している画像データを保存する記憶手段と、
を備えた端末装置の制御方法であって、
処理手段が、
前記放送受信手段による前記テレビジョン放送の再生中に前記音声通話手段に対する音声着信が発生した場合、前記放送受信手段で受信している映像から取得した少なくとも１つの画像データを前記記憶手段に保存し、
前記表示手段で表示している再生中の前記テレビジョン放送の画面を、前記ユーザへ前記音声着信を通知するための着信画面に切り換える方法である。
【００１３】
また、本発明のプログラムは、画像を表示する表示手段と、
テレビジョン放送を受信する放送受信手段と、
通信ネットワークを介して接続される他の装置とのユーザによる音声通話を可能にする音声通話手段と、
前記放送受信手段で受信している画像データを保存する記憶手段と、
を備えたコンピュータに実行させるためのプログラムであって、
前記放送受信手段による前記テレビジョン放送の再生中に前記音声通話手段に対する音声着信が発生した場合、前記放送受信手段で受信している映像から取得した少なくとも１つの画像データを前記記憶手段に保存させ、
前記表示手段で表示している再生中の前記テレビジョン放送の画面を、前記ユーザへ前記音声着信を通知するための着信画面に切り換えるためのものである。
【発明の効果】
【００１４】
本発明によれば、ユーザによる、音声着信等によって再生が停止されたテレビジョン放送の内容の想起に寄与する端末装置が得られる。
【図面の簡単な説明】
【００１５】
【図１】本発明の端末装置の一構成例を示すブロック図である。
【図２】図１に示した端末装置の一実施形態の構成例を示すブロック図である。
【図３】図２に示した端末装置の処理手順の一例を示すフローチャートである。
【発明を実施するための形態】
【００１６】
次に本発明について図面を用いて説明する。
【００１７】
図１は、本発明の端末装置の一構成例を示すブロック図である。
【００１８】
図１に示すように、本発明の端末装置１は、表示手段２、放送受信手段３、音声通話手段４、記憶手段５及び処理手段６を有する。
【００１９】
表示手段２は、処理手段６から供給される画像信号にしたがって画像を表示する。
【００２０】
放送受信手段３は、テレビジョン放送（地上デジタル放送）を受信する。
【００２１】
音声通話手段４は、通信ネットワークを介して接続される他の装置とのユーザによる音声通話を可能にする。
【００２２】
記憶手段５は、テレビジョン放送を再生中に音声着信が発生した場合、放送受信手段３で受信している画像データを保存する。
【００２３】
処理手段６は、放送受信手段３によるテレビジョン放送の再生中に音声通話手段４に対する音声着信が発生した場合、放送受信手段３で受信している映像から取得した少なくとも１つの画像データを記憶手段５に保存し、表示手段２で表示している再生中のテレビジョン放送の画面を、ユーザへ音声着信を通知するための着信画面に切り換える。
【００２４】
図２は、図１に示した端末装置の一実施形態の構成例を示すブロック図である。
【００２５】
以下では、携帯電話機を例にして本発明の端末装置の構成や動作を説明するが、本発明は、音声通話が可能であり、テレビジョン放送（地上デジタル放送）を受信して再生する機能を備えた構成であれば、その他の装置にも適用できる。そのような端末装置としては、例えばノート型、タブレット型または据え置き型のパーソナルコンピュータ、携帯電話機、ＰＨＳ（Personal Handyphone System）、ＰＤＡ（Personal Data Assistance，Personal Digital Assistants：個人向け携帯型情報通信機器）、ゲーム機、テレビジョン受像機等が考えられる。
【００２６】
図２に示すように、本実施形態の端末装置１１は、制御部３０、通信部２６、音声着信検出部１８、地デジ受信部２０、画面表示制御部２２、画面表示データ格納用メモリ２３、画面表示部２４、地デジ視聴状態格納用メモリ２１、地デジ画面表示データ格納用メモリ２５、マイク２７、スピーカ２８及び入力部２９を備える。通信部２６、音声着信検出部１８、地デジ受信部２０、画面表示制御部２２、画面表示データ格納用メモリ２３、画面表示部２４、地デジ視聴状態格納用メモリ２１、地デジ画面表示データ格納用メモリ２５、マイク２７、スピーカ２８及び入力部２９と制御部３０とは、バス１３を介して情報の送受信が可能に接続されている。端末装置１１には、例えば電源のオン・オフ、通信の開始・終了、その他の機能を選択するためのファンクションキーを備えていてもよい。
【００２７】
入力部２９は、ユーザが指示を含む各種の情報を端末装置１１へ入力するための入力手段であり、例えば文字、数字、記号等を入力するための周知のボタンキー、キーボード、マウス、タッチパネル等である。また、制御部３０がアプリケーションプログラムにしたがって音声認識処理を実行可能な場合、マイク２７も文字や数字等を入力するための入力手段として用いることが可能である。
【００２８】
画面表示部２４は、制御部３０から供給される画像信号にしたがって、文字、記号、画像等を表示する、液晶パネルや有機ＥＬパネル等のディスプレイである。画面表示部２４の画面（画像表示面）上には、入力部２９として用いられる、上記タッチパネルが設置されていてもよい。
【００２９】
画面表示データ格納用メモリ２３は、画面表示部２４に表示させる、地デジ受信部２０で受信したテレビジョン放送の画像データを含む、制御部３０から供給される画像信号を、例えばフレーム毎に保持するメモリである。画面表示データ格納用メモリ２３には、例えばＲＡＭが用いられる。
【００３０】
画面表示制御部２２は、制御部３０から供給される画像データを、例えばフレーム単位で画面表示データ格納用メモリ２３に一旦格納し、該画面表示データ格納用メモリ２３から画面表示部２４へ出力させることで、画面表示部２４に画像や映像を表示させる制御回路である。図１に示した表示手段２は、例えば図２に示す画面表示部２４、画面表示データ格納用メモリ２３及び画面表示制御部２２で実現される。
【００３１】
通信部２６は、通信ネットワークを介して接続される他の装置と情報を送受信するための周知の通信回路であり、音声通話や電子メール等のデータ通信を可能にする。
【００３２】
マイク２７は、ユーザの音声等を端末装置１１に入力するための装置であり、通信部２６及び通信ネットワークを介した他の装置との音声通話に用いられる。
【００３３】
スピーカ２８は、音声や各種音を出力する、通信部２６及び通信ネットワークを介した他の装置との音声通話に用いられる。
【００３４】
音声着信検出部１８は、通信ネットワーク及び通信部２６を介して通知される、他の装置からの音声着信を検出する回路である。図１に示した音声通話手段４は、例えば図２に示す通信部２６、マイク２７、スピーカ２８及び音声着信検出部１８で実現される。
【００３５】
地デジ受信部２０は、テレビジョン放送（地上デジタル放送）を受信して復調する周知の受信回路（チューナー）である。地デジ受信部２０で受信した信号は、例えば制御部３０によって復号されて映像や音声の再生に必要な画像データや音声データが生成される。地デジ受信部２０には、受信した信号を復号して画像データや音声データを再生する機能を備えていてもよい。図１に示した放送受信手段３は、例えば図２に示す地デジ受信部２０で実現される。
【００３６】
地デジ視聴状態格納用メモリ２１は、ユーザが端末装置１１を用いてテレビジョン放送を視聴中のとき、すなわち端末装置１１が地デジ受信部２０で受信したテレビジョン放送を再生中であるとき、該テレビジョン放送の再生中を示す情報（フラグ等）を保持するメモリである。地デジ視聴状態格納用メモリ２１は、例えばＲＡＭで実現される。
【００３７】
地デジ画面表示データ格納用メモリ２５は、音声着信の発生時に、再生中のテレビジョン放送の画像データ等を保存するメモリである。地デジ画面表示データ格納用メモリ２５は、例えばＲＡＭで実現される。図１に示した記憶手段５は、例えば図２に示す地デジ画面表示データ格納用メモリ２５で実現される。
【００３８】
制御部３０は、ＣＰＵ１２、ＲＯＭ（Read Only Memory）１４、作業用メモリ１５及び各種論理回路を備えた情報処理装置（コンピュータ、情報処理用ＩＣ等）で実現できる。ＲＯＭ１４には、例えば制御部３０で実行する各種の制御用プログラム（ソフトウェア）や制御部３０の処理で用いる各種のデータが保存される。作業用メモリ１５には、例えば制御用プログラムにしたがって制御部３０が処理を実行する際に必要なデータが一時的に格納される。作業用メモリ１５には、例えばＲＡＭ（Random Access Memory）が用いられる。
【００３９】
制御部３０は、各種の制御用プログラムにしたがってＣＰＵ１２により処理を実行することで、端末装置１１全体の動作を制御する。
【００４０】
また、制御部３０は、テレビジョン放送の再生中に音声着信が発生した場合、画面表示制御部２２を介して画面表示データ格納用メモリ２３から少なくとも１つの画像データを取得し、該取得した画像データを地デジ画面表示データ格納用メモリ２５に保存する。その後、制御部３０は、画面表示部２４に表示する画像を、音声着信をユーザへ通知するための着信画面に切り換える。
【００４１】
さらに、制御部３０は、ユーザによる音声通話の終了後、入力部２９を用いてユーザから音声着信の直前に再生していたテレビジョン放送の画像データの表示が要求されると、地デジ画面表示データ格納用メモリ２５に保存された該画像データを、画面表示制御部２２を介して画面表示部２４に表示させる。
【００４２】
なお、図２に示すマイク２７、スピーカ２８、入力部２９、ファンクションキー等は、それらの装置の動作を制御するための周知のインタフェース回路（音声処理回路、増幅回路、スイッチ等）を介して制御部３０と接続される。制御用プログラムや制御部３０の処理で用いる各種のデータは、ＲＯＭ１４に限らず、周知の不揮発性の半導体メモリ、ハードディスク、光ディスク等の記録媒体に保存されていてもよい。その場合、端末装置１１にはそれらの記録媒体に対して情報を読み書きするための駆動装置を備えていればよい。図１に示した処理手段６は、例えば図２に示す制御部３０で実現される。
【００４３】
図３は、図２に示した端末装置の処理手順の一例を示すフローチャートである。
【００４４】
図３は、図２に示した端末装置１１がテレビジョン放送（地上デジタル放送）の再生中に音声着信が発生し、該音声着信に応答する直前のテレビジョン放送の画像データを保存するための処理手順を示している。
【００４５】
なお、制御部３０は、端末装置１１が地デジ受信部２０で受信したテレビジョン放送を再生中であるとき、該テレビジョン放送の再生中を示す情報（フラグ等）を地デジ閲覧状態格納用メモリ２１で保持しているものとする。また、このとき画面表示データ格納用メモリ２３には、再生中のテレビジョン放送の画像データ（表示データ）が、例えばフレーム単位で更新・保存されているものとする。
【００４６】
図３に示すように、制御部３０は、地デジ受信部２０で受信したテレビジョン放送（地上デジタル放送）を再生中であっても音声着信の待ち受け状態にあり、音声着信検出部１８の検出結果に基づき、音声着信が発生したか否かを判定する（ステップＳ１）。音声着信が発生していない場合は、ステップＳ１の処理を繰り返す。
【００４７】
音声着信が発生した場合、制御部３０は、地デジ閲覧状態格納用メモリ２１を参照し、端末装置１１がテレビジョン放送を再生中であるか否かを判定する（ステップＳ２）。テレビジョン放送を再生していない場合は、ステップＳ１の処理に戻って、ステップＳ１及びＳ２の処理を繰り返す。
【００４８】
テレビジョン放送を再生中の場合、制御部３０は、画面表示制御部２２により画面表示データ格納用メモリ２３から再生中のテレビジョン放送の画像データ（例えば１フレーム）を取得し、地デジ画面表示データ格納用メモリ２５で保存する（ステップＳ３）。その後、制御部３０は、ユーザに音声着信に応答させるための着信画面を画面表示部２４に表示させる（ステップＳ４）。このとき、地デジ受信部２０は、テレビジョン放送の受信（及び再生）を停止してもよく、継続していてもよい。
【００４９】
ユーザが音声着信に応答して音声通話が終了した後、音声着信の直前に視聴していたテレビジョン放送の表示画面を確認したい場合、制御部３０は、入力部２９を用いたユーザの操作指示にしたがって、地デジ画面表示データ格納用メモリ２５で保存されている画像データを画面表示部２４に表示させる（ステップＳ５）。
【００５０】
本発明によれば、ユーザがテレビジョン放送を視聴中（端末装置１１がテレビジョン放送を再生中）に音声着信が発生しても、該端末装置１１が再生中のテレビジョン放送の画像データを保存するため、ユーザは、例えば音声通話の終了後に該画像を確認できる。したがって、ユーザによる、音声着信等によって再生が停止されたテレビジョン放送の内容の想起に寄与する端末装置１１が得られる。
【００５１】
なお、上記説明では、ユーザがテレビジョン放送を視聴中に音声着信が発生すると、着信画面へ切り換える直前の画像データを地デジ画面表示データ格納用メモリ２５で保存する処理例を示したが、保存する画像データは着信画面へ切り換わった後のユーザが音声通話中に地デジ受信部２０で受信した画面の画像データでもよい。また、上記説明では、１フレームの画像データ、すなわち１つの画面に相当する画像データを保存する例を示したが、保存する画像データは複数でもよい。その場合、着信画面へ切り換える直前や音声通話中において、例えば所定の時間間隔で画像データを取得し、それら複数の画像データを保存すればよい。
【００５２】
また、上記説明では、地デジ画面表示データ格納用メモリ２５にテレビジョン放送の画像データを保存する例を示したが、地デジ画面表示データ格納用メモリ２５として大きな記憶容量を確保できる場合は、視聴中のテレビジョン放送を録画してもよい。画像データを保存する場合、地デジ画面表示データ格納用メモリ２５の記憶容量を小さくできるため、端末装置１１のコストの上昇を抑制できる。
【００５３】
さらに、上記説明では、テレビジョン放送の再生中に、ユーザが直ぐに応答しなければならない、例えば音声着信が発生したときに再生中の画像データを保存する例を示したが、本発明は、テレビジョン放送の再生中に、例えば予期せぬポップアップ表示等により表示画面が切り換わる場合にも適用可能である。
【符号の説明】
【００５４】
１、１１    端末装置
２    表示手段
３    放送受信手段
４    音声通話手段
５    記憶手段
６    処理手段
１４    ＲＯＭ
１５    作業用メモリ
１８    音声着信検出部
２０    地デジ受信部
２１    地デジ視聴状態格納用メモリ
２２    画面表示制御部
２３    画面表示データ格納用メモリ
２４    画面表示部
２５    地デジ画面表示データ格納用メモリ
２６    通信部
２７    マイク
２８    スピーカ
２９    入力部
３０    制御部
【図１】
2013251842.tif 000003
【図２】
2013251842.tif 000004
【図３】
2013251842.tif 000005